(57)【要約】【課題】分電盤を建物の壁面に設置することなく、幹線および負荷線を短縮でき、効率よく入線作業が行え、しかも分電盤をパーティションで区画された部屋に対して合理的に配置することができるパーティション盤を提供する。【解決手段】部屋を区画するためのパーティション２と、このパーティション２に設けた分電盤３とを備えたパーティション盤である。パーティション２は片面に開口が設けられ内壁面に耐火ボードを有する。分電盤３は開口内に収納されている。開口の周縁に枠を設け、枠に開口を開閉する扉を設けている。また分電盤３は、背板の外面から内面に突出させた筒部を形成した箱体を備え、筒部にタッピングするタッピングねじにより背板上に内器を取付けている。【選択図】        図１
2009007871.tif 000002
【特許請求の範囲】
【請求項１】
部屋を区画するためのパーティションと、このパーティションに設けた分電盤とを備えたパーティション盤。
【請求項２】
内壁に耐火ボードを有しかつ片面に開口が設けられたパーティションと、前記開口内に収納された分電盤と、前記開口を開閉する扉とを備え、前記扉は前記パーティションの表面より突出しているパーティション盤。
【請求項３】
片面に扉を設けたパーティションと、前記扉を介して前記パーティションに内蔵された分電盤とを備えたパーティション盤。
【請求項４】
前記分電盤は、背板および周側壁からなる箱体を備え、前記背板を変形することにより前記背板の内面から突出する筒部を形成し、前記筒部にタッピングして締めつけるタッピングねじにより前記背板上に内器を取付けた請求項２または請求項３記載のパーティション盤。
【請求項５】
前記パーティションは内部に前記分電盤を取付ける一対の盤取付用縦桟と、前記盤取付用縦桟の間に連結されて前記分電盤に接続される電線を止める複数の電線止め用横桟とを有する請求項１、請求項２または請求項３記載のパーティション盤。
【発明の詳細な説明】
【技術分野】
【０００１】
この発明は、部屋を区画するためのパーティション（区画壁）に分電盤を設けたパーティション盤に関するものである。
【背景技術】
【０００２】
住宅やビルディングの分電盤は建物の壁に設置されている。ビルディングにおいてはたとえば図１１に示すようにキュービクル１００から各階の壁に設置した分電盤１０１に直接または幹線分岐盤１０２を介して幹線１０５が接続されている。各階ではたとえば図１２に示すように、複数の幹線分岐盤１０２に接続された分電盤１０１が壁面に複数設置され、分電盤１０１から天井裏に沿って電灯線１０３が配線され、また床に沿ってコンセント用電線（図示せず）が配線されている。電灯線１０３に接続される照明器具の配置や、コンセント用電線に接続されるコンセントの配置は、各階を区画するパーティション１０４によって決まる。
【０００３】
建物の壁に分電盤を取付ける現場作業は作業効率が悪い。これに対し、住宅用の建物の壁パネルに分電盤を収納したものは、工場で壁パネルを製作する際に壁パネルに分電盤を組み込むことができるため、現場取付作業を不要にすることができる（たとえば特許文献１参照）。
【特許文献１】特開平９−７８７５８号公報
【発明の開示】
【発明が解決しようとする課題】
【０００４】
建物の壁や壁パネルの壁面に設置した分電盤から、パーティションで区画された部屋の照明器具やコンセントまでは距離が長いため、負荷線が長くなり、また負荷線の配線の作業効率が悪い。幹線分岐盤から壁面の分電盤までの距離も長いため幹線についても負荷線と同様の欠点がある。また分電盤は各階に必要な数を見越して壁に設置するため合理的でない。
【０００５】
したがって、この発明の目的は、分電盤を壁面に設置することなく、幹線および負荷線を短縮でき、効率よく入線作業が行え、しかも分電盤をパーティションで区画された部屋に対して合理的に配置することができるパーティション盤を提供することである。
【課題を解決するための手段】
【０００６】
この発明のパーティション盤は、部屋を区画するためのパーティションと、このパーティションに設けた分電盤とを備えたものである。
【０００７】
この発明の別のパーティション盤は、内壁に耐火ボードを有しかつ片面に開口が設けられたパーティションと、前記開口内に収納された分電盤と、前記開口を開閉する扉とを備え、前記扉は前記パーティションの表面より突出しているものである。
【０００８】
この発明の別のパーティション盤は、片面に扉を設けたパーティションと、前記扉を介して前記パーティションに内蔵された分電盤とを備えたものである。
【０００９】
上記構成において、前記分電盤は、背板および周側壁からなる箱体を備え、前記背板を変形することにより前記背板の内面から突出する筒部を形成し、前記筒部にタッピングして締めつけるタッピングねじにより前記背板上に内器を取付けている。
【００１０】
上記構成において、前記パーティションは内部に前記分電盤を取付ける一対の盤取付用縦桟と、前記盤取付用縦桟の間に連結されて前記分電盤に接続される電線を止める複数の電線止め用横桟とを有する。
【発明の効果】
【００１１】
この発明のパーティション盤によれば、部屋を区画するパーティションに分電盤を設けたため、建物の壁面に分電盤を設置しないので現場取付作業を不要にすることができるとともに、幹線分岐盤と分電盤の間の距離および分電盤と照明器具やコンセント等の負荷との間の距離が短くなるので、配線作業が効率化し配線の長さも短くなる。パーティションによって区画された部屋はそのパーティションの一部に設けられた分電盤から、電灯線やコンセント用電線を配線するため無駄がなく合理的になり、たとえば分電盤を増設する場合には分電盤を内蔵したパーティションを内蔵していないパーティションと取り替えればよいので簡単に対応でき、パーティションの配置の変更にも簡単に対応することができる。
【００１２】
また端末設備（盤の内容）が決定しない場合でも、パーティション盤設置用パーティションを先納配置することにより区画内の主要配線工事を進めることができ、分岐数決定後の盤の放置も可能となり効率的である。
【００１３】
扉付き分電盤をパーティションの開口に設置する場合、扉の厚さ分パーティションから突出すれば、耐火ボードのあるパーティションの厚さを、通常のパーティションの厚さ、すなわち分電盤が設置されていない耐火ボードのあるパーティションの厚さに近づけることができる。
【００１４】
扉付きパーティションに分電盤を内蔵する場合では、パーティションに耐火ボードを設けなければ、そのパーティションの厚さを通常のパーティションの厚さ、すなわち分電盤の設置されていない耐火ボードのあるパーティションの厚さに近づけることが可能である。
【００１５】
分電盤の箱体の背板に外面から内面にたたき出しにより背板を変形して筒部を形成し、筒部にタッピングするタッピングねじにより背板上に内器を取付けると、箱体の高さを低くでき、パーティションの厚さをより薄くすることができ、分電盤の設置されていない通常のパーティションの厚さと同等にすることができる。
【発明を実施するための最良の形態】
【００１６】
この発明の第１の実施の形態を図１から図５により説明する。図１は建物の床の平面図である。１は建物の側壁、２は部屋６を区画するパーティション、３は一部のパーティション２に設置された分電盤、４は幹線分岐盤である。幹線分岐盤４から分電盤３に幹線５が配線されている。パーティション２で区画された各部屋６はその広さや形等に応じて天井に照明器具等（図示せず）が配置され、床にコンセント等（図示せず）が配置され、これらに分電盤３から天井裏および床（ＯＡフロア）に沿って負荷線（図示せず）が配線されて接続されている。
【００１７】
このような構成では、分電盤３が側壁１ではなくパーティション２に設けられているため、幹線分岐盤４と分電盤３との間の距離および分電盤３と照明器具やコンセントとの間の距離が従来例よりも短くなり、電線の材料節減および配線作業の効率化が図れる。しかもパーティションで区画される部屋の大きさや形等が決まることで、その部屋の照明器具やコンセント等の配置が決まり、それに応じてパーティション盤の場所が決まるので分電盤の設置が合理的になる。しかも現場で分電盤を設置する必要がない。
【００１８】
図２はビルディングのキュービクル７とパーティション盤８との関係を示している。パーティション盤８は部屋を区画するためのパーティション２と、このパーティション２に設けた分電盤３とを備えたものである。パーティション２は部屋を区画するため複数設けられる。パーティション盤８はパーティション２の一部であり、分電盤３が幹線分岐盤４からの幹線５に接続されている。
【００１９】
図３はパーティション盤８を示し、（ａ）は正面図、（ｂ）は縦断面図、（ｃ）は横断面図である。パーティション盤８のパーティション２は片面に開口１０が設けられている。このパーティション２は両側の側柱となる縦桟１２、上下の桟となる横桟１３、１４、および芯柱を兼用した一対の盤取付用縦桟１５で骨組が構成され、前板１６および後板１７がこれらに取付けられる。前板１６および後板１７の内面には耐火ボード１１が設けられ、前板１６のたとえば中央に開口１０が形成されている。盤取付用縦桟１５には取付部１８が相対向方向に突設されている。
【００２０】
分電盤３はパーティション２の開口１０よりまたは前板１６を外すことにより挿入され、取付部１８に取付けられて収納されている。分電盤３は主幹ブレーカ２０もしくは主幹機器（例えば電力量計）またはこれらの両方と、これらに接続された分岐ブレーカ２１からなり、主幹ブレーカ２０ないし主幹機器は幹線分岐盤４より天井裏およびパーティション２の内部を通して配線された幹線５に接続されている。また分岐ブレーカ２１の負荷線のうち電灯線２３等が分電盤３内の配線ダクト２４を通して天井２７に配線され、コンセント用電線２５等が配線ダクト２４を通して床２８に配線されている。天井２７に配線された電灯線２３等は天井に取付けられた照明器具等（図示せず）に接続され、床に配線されたコンセント用電線２５等は床等に取付けられたコンセント等（図示せず）に接続される。また取付部１８間に複数の電線止め用横桟２６が設けられ、これらに幹線５、電灯線２３およびコンセント用電線２５を含む電線がバンド等により止められている。一方、開口１０の周縁部に枠２９が設けられ、枠２９に後述の扉が取付けられている。またパーティション盤８に隣接してパーティション２が接続され、複数のパーティション２により部屋を区画している。  
【００２１】
図４は分電盤３の取付部分の部分拡大断面図である。前板１６および後板１７の内面には前板１６の開口１０を除き耐火ボード１１が設けられている。分電盤３は周側壁および背板４５からなる箱体３１を有し、その周側壁の外面に取付片３２を設け、取付片３２を盤取付用縦桟１５の取付部１８のパーティション２のセンターライン（ＣＬ）となる面にねじ３３で取付けている。箱体３１の開口部に内方突出部３４を設け、これに開口部を閉じる蓋３５を取付けている。この蓋３５はたとえばアクリル製またはポリカーボネイト製の透明板等の板であり、蓋３５にハンドル挿通孔を形成し、ハンドル挿通孔より分岐ブレーカのハンドル（図示せず）を突出している。その高さ位置を破線Ｄで示しているが、パーティション２の前板１６よりも前側で後述の閉じた状態の扉３９よりも後側に位置している。Ｈはパーティション盤深さ寸法である。枠２９はパーティション２の前板１６の開口３６の周辺にねじ３７で取付けられ、枠２９にヒンジ軸３８により扉３９が開閉自在に取付けられている。４０は前板１６の裏側に当てる当て金などねじ３７の螺合する雌ねじを形成した部材である。このようにして、枠２９および扉３９はその厚さ分前板１６より突出している。これにより耐火ボード１１が設けられていても、パーティション２の厚さを通常のパーティションの厚さ（たとえば７０ｍｍ）に近づけることができる。図５は図３において枠２９に扉３９を閉じた状態である。
【００２２】
この発明の第２の実施の形態を図６および図７により説明する。図６は第１の実施の形態と比べて枠および分電盤の扉がなく、代わりにパーティション２の前板を扉４１により形成し、分電盤３を扉４１を介してパーティション２に内蔵している。パーティション２内では分電盤３の前側および後側の耐火ボード１１を除去している。扉４１の分電盤３に対向する部分は透明板４２を設けており、内部の分岐ブレーカ２１が見えるようにしている。ただし、透明板４２を設けない場合もある。その他、第１の実施の形態と同様であり、図３等と共通する部分に同一符号を付している。
【００２３】
図７は図６の部分拡大図である。分電盤３の取付けは図４と同様である。耐火ボード１１がないため取付片３２は開口寄りに設けて、分電盤３の背板４５側を後板１７に接近させ、分電盤３の最も突出したハンドルが扉４１の内側の破線Ｄで示す位置にあるようにしている。耐火ボードを除去することによりパーティション盤のパーティション２の厚さを通常のパーティションの厚さ内に近づけることができる。
【００２４】
この発明の第３の実施の形態を図８により説明する。パーティション盤８のパーティション２は第２の実施の形態と同様な扉４１付きである。分電盤３は主幹ブレーカがなく幹線２２が接続バー４３を介して、分岐ブレーカ２１に接続されている。また分岐ブレーカ２１の下側に通信設備などの弱電スペース４４を設けており、その分第１または第２の実施の形態の分電盤などと比べて縦長になっている。
【００２５】
この発明の第４の実施の形態を図９により説明する。すなわち、これは、分電盤３の箱体３１の背板４５に取付ける内器の内器ベースの取付部の取付け構造に関するものである。同図（ａ）はこの実施の形態、同図（ｂ）は従来構造を示す。同図（ａ）において、分電盤３の箱体３１の背板４５に外面から内面に突出させた筒部４６を設けている。この筒部４６は背板４５の外側から背板４５の一部を内方にプレス成形して、背板４５を変形させることにより形成している。筒部４６に筒体５１を嵌めて、内器ベース４８を背板４５上に載せ、内器ベース４８の孔４８ａおよび筒体５１にタッピングねじ４７を通し筒部４６にタッピングしてねじ込みを完了する。このタッピングねじ４７により背板４５上に内器ベース４８を取付け、内器ベース４８に直接または内器支持部材を介して、主幹ブレーカや分岐ブレーカなどを取付ける。ここで、内器は分岐ブレーカ等およびこれらを取付ける内器ベース等の部材を含むものである。なお筒体５１は内器ベース４８と一体または別体にすることができる。
【００２６】
図（ｂ）は背板４５に支持台４９を溶接などで取付けている。支持台４９に背板４５側に突出する筒部５０を形成し、支持台４９の筒部５０上に筒体５１を介して内器ベース４８を支持台４９上に載せ、内器ベース４８に形成した孔および筒体５１を通してタッピングねじ４７を筒部５０にタッピングし、内器ベース４８を支持台４９に固定する。
【００２７】
この実施の形態によれば、図（ｂ）と比べて支持台４９が不要であり、支持台４９の高さ分箱体３１を薄くできる。したがってこの箱体３１を上記第１から第３の実施の形態に適用すれば、通常の厚さ（たとえば７０ｍｍ）のパーティション２を用いて、分電盤３を収納することが可能になる。すなわち第１の実施の形態であれば、耐火ボード１１が設けられていても通常の厚さのパーティション２に分電盤３を内蔵でき、第２および第３の実施の形態であれば耐火ボードを除去することにより通常の耐火ボードを有するパーティション２の厚さ内に分電盤３を収納することができる。
【００２８】
この発明の第５の実施の形態を図１０により説明する。これは第４の実施の形態の内器ベースに代えて、分岐ブレーカ等を取付けるための固定台５２を取付ける取付け構造に関するものである。同図（ａ）はこの実施の形態、同図（ｂ）は従来例を示す。同図（ａ）は筒部４６の構成および筒部４６にタッピングねじ４７をタッピングして、固定台５２を箱体３１に固定する点は第４の実施の形態と同様であるが、タッピングねじ４７は固定台２に対応しているため長さが異なる。同図（ｂ）の支持台４９の構成は第４の実施の形態と同様である。この実施の形態においても、第４の実施の形態と同様な作用効果がある。
【００２９】
なお、第４および第５の実施の形態において、筒部４６は背板４５に変形を加えて形成したが、たとえばナットを背板４５の内面に溶接等により取付け、タッピングねじでなくて通常のボルトやねじを使用してもよい。
【図面の簡単な説明】
【００３０】
【図１】この発明の第１の実施の形態のパーティション盤を使用した建物の床の平面図である。
【図２】パーティション盤の配線図である。
【図３】（ａ）はパーティション盤の扉を外した状態の正面図、（ｂ）はその縦断面図、（ｃ）は横断面図である。
【図４】分電盤および枠の取付部分の拡大横断面図である。
【図５】（ａ）はパーティション盤の扉を閉じた状態の正面図、（ｂ）はその縦断面図、（ｃ）は横断面図である。
【図６】（ａ）は第２の実施の形態の分電盤内蔵タイプのパーティション盤の正面図、（ｂ）はその縦断面図、（ｃ）はその横断面図である。
【図７】分電盤の取付部分の拡大横断面図である。
【図８】（ａ）は第３の実施の形態の分電盤の正面図、（ｂ）はその側面図、（ｃ）は平面図である。
【図９】（ａ）は第４の実施の形態の分電盤の箱体の部分断面図、（ｂ）は（ａ）に関連する従来例の箱体の部分断面図である。
【図１０】（ａ）は第５の実施の形態の分電盤の箱体の部分断面図、（ｂ）は（ａ）に関連する従来例の箱体の部分断面図である。
【図１１】従来例の分電盤の配線図である。
【図１２】従来例の分電盤を用いた建物の床の平面図である。
【符号の説明】
【００３１】
１    側壁
２    パーティション
３    分電盤
４    幹線分岐盤
５    幹線
６    部屋
８    パーティション盤
１０    開口
１１    耐火ボード
１５    盤取付用縦桟
２６    電線止め用横桟
２９    枠
３１    箱体
３９    扉    
４１    扉
４５    背板
４６    筒部
４７    タッピングねじ
４８    内器ベース
【図１】
2009007871.tif 000003
【図２】
2009007871.tif 000004
【図３】
2009007871.tif 000005
【図４】
2009007871.tif 000006
【図５】
2009007871.tif 000007
【図６】
2009007871.tif 000008
【図７】
2009007871.tif 000009
【図８】
2009007871.tif 000010
【図９】
2009007871.tif 000011
【図１０】
2009007871.tif 000012
【図１１】
2009007871.tif 000013
【図１２】
2009007871.tif 000014